(57)【要約】      （修正有）【課題】現在のエネルギー累積使用量からどの程度エネルギーを使用すれば、エネルギー料金が段階的に上昇するのか、ユーザが分かり易い情報を表示画面に表示する。【解決手段】電力料金表示システムは、電力累積使用量を示す使用量データを取得する使用量データ取得部と、使用料金算出部と、単価情報記憶部と、料金算出結果に応じた情報を、ユーザ端末の表示画面に表示させるための表示データを生成する表示データ生成部とを備える。単価情報記憶部は、電力累積使用量が所定量以下である場合に適用する第１段階単価情報と、所定量を超える場合に適用する第２段階単価情報とを記憶する。第１段階単価情報が適用されるとき、表示データ生成部は、料金算出結果に応じた情報と、第２段階単価情報が適用され始める時点の電力使用料金に応じた情報とを対比表示させる表示データを生成する。【選択図】図４
2014071600.tif 000002
【特許請求の範囲】
【請求項１】
建物又は建物の部屋に設置されたエネルギー消費機器が所定期間の開始時点から現時点までに使用したエネルギー累積使用量を示す使用量データを取得する使用量データ取得部と、
該使用量データ取得部が取得した前記使用量データに基づいて、前記エネルギー累積使用量に応じたエネルギー使用料金を算出する使用料金算出部と、
該使用料金算出部が前記エネルギー使用料金を算出する際に参照するエネルギー単価情報を記憶した単価情報記憶部と、
前記使用料金算出部の料金算出結果に応じた情報を、ユーザ端末の表示画面に表示させるための表示データを生成する表示データ生成部と、を備え、
前記単価情報記憶部は、前記エネルギー単価情報として、前記エネルギー累積使用量が所定量以下である場合に前記使用料金算出部が適用する第１段階単価情報と、前記エネルギー累積使用量が前記所定量を超える場合に前記使用料金算出部が適用する第２段階単価情報とを記憶し、
前記第１段階単価情報及び前記第２段階単価情報のうち、前記第１段階単価情報が適用されて前記料金算出結果が得られるときに、前記表示データ生成部は、前記料金算出結果に応じた情報と、前記第２段階単価情報が適用され始める時点の前記エネルギー使用料金に応じた情報とを対比表示させるための前記表示データを生成することを特徴とするエネルギー料金表示システム。
【請求項２】
前記料金算出結果に応じた情報は、前記料金算出結果と、該料金算出結果に応じた前記エネルギー累積使用量の双方とに対応する画像情報又は文字情報からなり、
前記エネルギー使用料金に応じた情報は、前記第２段階単価情報が適用され始める時点の前記エネルギー使用料金と、該エネルギー使用料金に応じた前記エネルギー累積使用量の双方に対応する画像情報又は文字情報からなることを特徴とする請求項１に記載のエネルギー料金表示システム。
【請求項３】
前記使用量データ取得部は、毎月の予め定められた起算日から現時点までに使用した前記エネルギー累積使用量を示す前記使用量データを予め定められた頻度で取得し、
前記使用料金算出部は、前記使用量データに基づいて、前記エネルギー使用料金を前記頻度で算出し、
前記表示データ生成部は、前記使用料金算出部の前記算出結果に応じた情報を、ユーザ端末の表示画面に表示させるための前記表示データを前記頻度で生成することを特徴とする請求項１又は２に記載のエネルギー料金表示システム。
【請求項４】
前記使用量データを蓄積する使用量データ蓄積部を備え、
前記表示データ生成部は、前記料金算出結果に応じた情報と共に、過去の前記料金算出結果に応じた情報を表示させるための前記表示データを生成することを特徴とする請求項１乃至３いずれかに記載のエネルギー料金表示システム。
【請求項５】
前記表示データ生成部は、前記エネルギー累積使用量と前記エネルギー使用料金の対応関係を示すグラフを含む前記料金算出結果に応じた情報を表示させるための前記表示データを生成することを特徴とする請求項１乃至４いずれかに記載のエネルギー料金表示システム。
【請求項６】
前記エネルギー使用料金は、固定料金と、前記エネルギー累積使用量に応じて変動する変動料金とから構成され、
前記表示データ生成部は、前記エネルギー使用料金の情報のうち、前記固定料金の割合を特定する固定料金割合特定情報を前記料金算出結果に応じた情報と共に表示させるための前記表示データを生成することを特徴とする請求項１乃至５いずれかに記載のエネルギー料金表示システム。
【請求項７】
前記使用量データ取得部と、前記使用料金算出部と、前記単価情報記憶部と、前記表示データ生成部とを有するホームサーバを備え、
該ホームサーバは、建物内又は建物の部屋内に設置され、前記エネルギー消費機器と、前記ユーザ端末とそれぞれ通信可能であって、
該ユーザ端末は、前記ホームサーバから前記表示データを取得し、該表示データを表示するデータ表示部を備えることを特徴とする請求項１乃至６いずれかに記載のエネルギー料金表示システム。
【請求項８】
建物又は建物の部屋に設置されたエネルギー消費機器が所定期間の開始時点から現時点までに使用したエネルギー累積使用量を示す使用量データを取得する使用量データ取得工程と、
該使用量データ取得工程にて取得した前記使用量データに基づいて、単価情報記憶部が記憶するエネルギー単価情報を参照して、前記エネルギー累積使用量に応じたエネルギー使用料金を算出する使用料金算出工程と、
該使用料金算出工程にて算出された料金算出結果に応じた情報を、ユーザ端末の表示画面に表示させるための表示データを生成する表示データ生成工程と、を備え、
前記使用料金算出工程は、前記単価情報記憶部が記憶する前記エネルギー単価情報のうち、前記エネルギー累積使用量が所定量以下である場合には第１段階単価情報を参照し、前記エネルギー累積使用料が前記所定量を超える場合には第２段階単価情報を参照し、
前記第１段階単価情報及び前記第２段階単価情報のうち、前記第１段階単価情報が適用されて前記料金算出結果が得られるときに、前記表示データ生成工程は、前記料金算出結果に応じた情報と、前記第２段階単価情報が適用され始める時点の前記エネルギー使用料金に応じた情報とを対比表示させるための前記表示データを生成することを特徴とするエネルギー料金表示方法。
【発明の詳細な説明】
【技術分野】
【０００１】
本発明は、エネルギー料金表示システム及びエネルギー料金表示方法に係り、特に、ユーザのエネルギー使用量に対応したエネルギー料金に関する情報を所定の表示画面に表示させる、エネルギー料金表示システム及びエネルギー料金表示方法に関する。
【背景技術】
【０００２】
従来、ユーザのエネルギー使用量に応じたエネルギー料金の情報を所定の表示画面に表示させるエネルギー料金表示システム、及びエネルギー料金表示方法は既に知られている（例えば、特許文献１参照）。
特許文献１に記載のエネルギー消費量表示システムは、毎日のエネルギー累積使用量と、エネルギー累積使用量に対応した使用料金を所定の表示画面に表示するほか、所定の計測期間を指定して計測期間中のエネルギー累積使用量と、このエネルギー累積使用量に対応した使用料金を計測して表示することができる。
このように、所定の計測期間を指定してエネルギー消費機器のエネルギー累積使用量を把握することができるため、ユーザが特定のエネルギー消費行為を行う際に、その行為の開始から終了までに、計測開始操作及び終了操作を行うだけの簡単な操作で、エネルギー消費行為に関するエネルギー累積使用量を容易に把握できる。
【０００３】
また、ユーザの電力使用量に応じた電力料金を算出するシステムとして、ユーザの電力使用態様から各種電力料金体系を適用させて、最適な料金プランの電力料金を算出することが可能な技術が既に知られている（例えば、特許文献２参照）。
特許文献２に記載の電力料金算出システムは、ユーザの端末からの入力に従って１日分の所定時間毎の仮想使用電力量データを取得し、この１日分の所定時間毎の仮想使用電力量データを、所定時間で区分された各時間帯情報と１ヶ月分の全日付情報にそれぞれ対応づけることで、１ヶ月分の各日及び各時間帯の仮想使用電力量データを取得する。
そして、１ヶ月分の各日及び各時間帯の仮想使用電力量データと実際の１ヶ月分の使用電力量データとに基づいて各種料金プランの電力料金を算出する。
このように、ユーザの１日分の情報入力のみで、ユーザの個別事情を反映させた仮想使用電力量データを取得できるため、ユーザの労力を低減させて最適な料金プランの提示が可能となる。
【先行技術文献】
【特許文献】
【０００４】
【特許文献１】特許第４６７９６７０号
【特許文献２】特開２０１１−２４８６４３号公報
【発明の概要】
【発明が解決しようとする課題】
【０００５】
ところで、ユーザの電力使用量に応じた電力料金は、基本電力料金と、ユーザの電力累積使用量に応じて料金単価が段階的に上昇する段階電力料金とから構成されるものである。
ユーザが電力料金を節約するためには、現在の電力累積使用量と、電力累積使用量に対応した現段階の段階電力料金を把握し、現在の電力累積使用量からさらにどの程度電力を使用すれば、電力料金の段階が上がるのか理解できることが重要である。
しかしながら、従来の電力料金表示システムが提供する情報では、ユーザが電力累積使用量に応じて電力料金単価がどの段階で上昇するのかを理解するにあたって利用し難いものであり、ユーザの電力使用量の節約に繋がらない恐れがあった。
例えば、特許文献１に記載の技術では、毎日又は所定の計測期間におけるエネルギー累積使用量と、エネルギー累積使用量に対応した使用料金を所定の表示画面に表示するに過ぎず、ユーザにとって現在の電力累積使用量から現段階の電力料金単価がいずれであって、どの程度電力を使用すれば、電力料金が段階的に上昇するかは分かり難いものであった。
また特許文献２に記載の技術においても、ユーザの電力使用態様から各種電力料金体系を適用させて、最適な電力料金プランの提示が可能であるものの、最適な電力料金プランの中でユーザが現在の電力累積使用量からどの程度電力を使用すれば、電力料金が段階的に上昇するかはやはり分かり難いものであった。
【０００６】
そこで、本発明は、上記の課題に鑑みてなされたものであり、本発明の目的は、現在のエネルギー累積使用量と、現段階のエネルギー使用料金を所定の表示画面に表示させ、かつ現在のエネルギー累積使用量からさらにどの程度エネルギーを使用すれば、エネルギー使用料金が段階的に上昇するのか同表示画面からユーザが容易に理解することが可能な、エネルギー料金表示システム及びエネルギー料金表示方法を提供することにある。
また、本発明の他の目的は、エネルギー累積使用量に応じてエネルギー料金が段階的に上昇するとき、料金単価の増減具合を所定の表示画面に表示させて、同表示画面からユーザが容易に料金単価の増減具合を理解することが可能な、エネルギー料金表示システム及びエネルギー料金表示方法を提供することにある。
【課題を解決するための手段】
【０００７】
前記課題は、本発明の電力料金表示システムによれば、建物又は建物の部屋に設置されたエネルギー消費機器が所定期間の開始時点から現時点までに使用したエネルギー累積使用量を示す使用量データを取得する使用量データ取得部と、該使用量データ取得部が取得した前記使用量データに基づいて、前記エネルギー累積使用量に応じたエネルギー使用料金を算出する使用料金算出部と、該使用料金算出部が前記エネルギー使用料金を算出する際に参照するエネルギー単価情報を記憶した単価情報記憶部と、前記使用料金算出部の料金算出結果に応じた情報を、ユーザ端末の表示画面に表示させるための表示データを生成する表示データ生成部と、を備え、前記単価情報記憶部は、前記エネルギー単価情報として、前記エネルギー累積使用量が所定量以下である場合に前記使用料金算出部が適用する第１段階単価情報と、前記エネルギー累積使用量が前記所定量を超える場合に前記使用料金算出部が適用する第２段階単価情報とを記憶し、前記第１段階単価情報及び前記第２段階単価情報のうち、前記第１段階単価情報が適用されて前記料金算出結果が得られるときに、前記表示データ生成部は、前記料金算出結果に応じた情報と、前記第２段階単価情報が適用され始める時点の前記エネルギー使用料金に応じた情報とを対比表示するための前記表示データを生成すること、により解決される。
【０００８】
上記の構成により、ユーザ端末の表示画面に、エネルギー累積使用量が所定量以下である場合に適用される料金算出結果に応じた情報と、エネルギー累積使用量が所定量を超える場合に適用され始める時点のエネルギー使用料金に応じた情報とが対比表示される。すなわち現段階のエネルギー使用料金の情報と、エネルギー累積使用量が所定量を超えた場合に適用され始める時点の次段階のエネルギー使用料金の情報とが対比表示されることになる。そのため、現在のエネルギー累積使用量からさらにどの程度エネルギーを使用すれば、エネルギー使用料金が段階的に上昇するのか、ユーザが表示画面から容易に理解することが可能な、エネルギー料金表示システムを提供することができる。
また、現段階のエネルギー使用料金の情報と、エネルギー累積使用量が所定量を超えた場合に適用され始める時点の次段階のエネルギー使用料金の情報とが対比表示されるため、段階的に上昇する使用料金単価の増減具合について、ユーザが容易に理解することが可能な、エネルギー料金表示システムを提供することができる。
さらに、エネルギー使用料金を算出する際に参照するエネルギー単価情報を記憶した単価情報記憶部を備えているため、電力、ガス、又は水道等の各会社のエネルギー使用料金を算出するために必要な料金情報を備えたエネルギー料金表示システムを提供できる。
【０００９】
このとき、前記料金算出結果に応じた情報は、前記料金算出結果と、該料金算出結果に応じた前記エネルギー累積使用量との双方に対応する画像情報又は文字情報からなり、前記エネルギー使用料金に応じた情報は、前記第２段階単価情報が適用され始める時点の前記エネルギー使用料金と、該エネルギー使用料金に応じた前記エネルギー累積使用量の双方に対応する画像情報又は文字情報からなると良い。
上記の構成により、エネルギー累積使用量の情報と、エネルギー累積使用量が所定量以上となった場合に適用され始める時点の次段階のエネルギー累積使用量の情報とがさらに対比表示されることになる。そのため、現在のエネルギー累積使用量からさらにどの程度エネルギーを使用すれば、エネルギー使用料金が段階的に上昇するのか、ユーザが端末表示画面から一層容易に理解できる。
【００１０】
このとき、前記使用量データ取得部は、毎月の予め定められた起算日から現時点までに使用した前記エネルギー累積使用量を示す前記使用量データを予め定められた頻度で取得し、前記使用料金算出部は、前記使用量データに基づいて、前記エネルギー使用料金を前記頻度で算出し、前記表示データ生成部は、前記使用料金算出部の前記算出結果に応じた情報を、ユーザ端末の表示画面に表示させるための前記表示データを前記頻度で生成すると良い。
上記の構成により、毎月のエネルギー累積使用量とエネルギー使用料金の情報が、表示画面に表示されることになる。エネルギー使用料金は、通常１ヶ月単位で請求されるものであるため、ユーザがエネルギー使用料金を容易に確認できる。
また、毎月のエネルギー累積使用量とエネルギー使用料金の情報が、予め定められた頻度で表示画面に表示されることになる。そのため、ユーザは常に最新のエネルギー累積使用量とエネルギー使用料金を確認できる。
【００１１】
このとき、前記使用量データを蓄積する使用量データ蓄積部を備え、前記表示データ生成部は、前記料金算出結果に応じた情報と共に、過去の前記料金算出結果に応じた情報を表示させるための前記表示データを生成すると良い。
上記の構成により、使用量データ蓄積部に蓄積された使用量データに基づいて、過去のエネルギー累積使用量とエネルギー使用料金の情報が表示画面に表示されることになる。そのため、ユーザは、過去及び現在のエネルギー累積使用量とエネルギー使用料金を表示画面から対比して確認できる。
【００１２】
このとき、前記表示データ生成部は、前記エネルギー累積使用量と前記エネルギー使用料金の対応関係を示すグラフを含む前記料金算出結果に応じた情報を表示させるための前記表示データを生成すると良い。
上記の構成により、エネルギー累積使用量とエネルギー使用料金の対応関係を示すグラフを含む情報が表示画面に表示されることになる。そのため、現在のエネルギー累積使用量からどの程度エネルギーを使用すれば、エネルギー使用料金が段階的に上昇するのか、ユーザが一層容易に理解し易くなる。
【００１３】
このとき、前記エネルギー使用料金は、固定料金と、前記エネルギー累積使用量に応じて変動する変動料金とから構成され、前記表示データ生成部は、前記エネルギー使用料金の情報のうち、前記固定料金の割合を特定する固定料金割合特定情報を前記料金算出結果に応じた情報と共に表示させると良い。
上記の構成により、エネルギー使用料金は、固定料金の割合と変動料金の割合が特定されて表示画面に表示されることになる。そのため、ユーザは、現在のエネルギー使用料金のうち、固定料金の割合と変動料金の割合を分けて把握でき、固定料金の料金プランの見直しをするべきか、変動料金に関わるエネルギー使用量の見直しを図るべきか、個々のエネルギー使用態様に応じた対策を立て易くなる。
【００１４】
このとき、前記使用量データ取得部と、前記使用料金算出部と、前記単価情報記憶部と、前記表示データ生成部を有するホームサーバを備え、該ホームサーバは、建物内又は建物の部屋内に設置され、前記エネルギー消費機器と、前記ユーザ端末とそれぞれ通信可能であって、該ユーザ端末は、前記ホームサーバから前記表示データを取得し、該表示データを表示するデータ表示部を備えると良い。
上記の構成により、建物又は建物内に設置されたホームサーバが、通信ネットワークを介してエネルギー消費機器と通信し、各エネルギー消費機器を遠隔制御することが可能になる。また、ユーザ端末は、通信ネットワークを介してホームサーバ及びエネルギー消費機器と通信し、各エネルギー消費機器の運転操作等を指示し、料金算出結果に応じた情報を表示させることができる。
【００１５】
また、建物又は建物の部屋に設置されたエネルギー消費機器が所定期間の開始時点から現時点までに使用したエネルギー累積使用量を示す使用量データを取得する使用量データ取得工程と、該使用量データ取得工程にて取得した前記使用量データに基づいて、単価情報記憶部が記憶するエネルギー単価情報を参照して、前記エネルギー累積使用量に応じたエネルギー使用料金を算出する使用料金算出工程と、該使用料金算出工程にて算出された料金算出結果に応じた情報を、ユーザ端末の表示画面に表示させるための表示データを生成する表示データ生成工程と、を備え、前記使用料金算出工程は、前記単価情報記憶部が記憶する前記エネルギー単価情報のうち、前記エネルギー累積使用量が所定量以下である場合には第１段階単価情報を参照し、前記エネルギー累積使用料が前記所定量を超える場合には第２段階単価情報を参照し、前記第１段階単価情報及び前記第２段階単価情報のうち、前記第１段階単価情報が適用されて前記料金算出結果が得られるときに、前記表示データ生成工程は、前記料金算出結果に応じた情報と、前記第２段階単価情報が適用され始める時点の前記エネルギー使用料金に応じた情報とを対比表示させるための前記表示データを生成することを特徴とするエネルギー料金表示方法も実現可能である。
上記の構成により、現段階のエネルギー使用料金の情報と、エネルギー累積使用量が所定量を超えた場合に適用され始める時点の次段階のエネルギー使用料金の情報とが対比表示されることになる。そのため、現在のエネルギー累積使用量からさらにどの程度エネルギーを使用すれば、エネルギー使用料金が段階的に上昇するのか、ユーザが端末表示画面から容易に理解することが可能な、エネルギー料金表示方法を提供することができる。
【発明の効果】
【００１６】
本発明の電力料金表示システムによれば、ユーザ端末の表示画面に、エネルギー累積使用量が所定量以下である場合に適用される料金算出結果に応じた情報と、エネルギー累積使用量が所定量を超える場合に適用され始める時点のエネルギー使用料金に応じた情報とが対比表示される。すなわち現段階のエネルギー使用料金の情報と、エネルギー累積使用量が所定量を超えた場合に適用され始める時点の次段階のエネルギー使用料金の情報とが対比表示されることになる。そのため、現在のエネルギー累積使用量からさらにどの程度エネルギーを使用すれば、エネルギー使用料金が段階的に上昇するのか端末表示画面からユーザが容易に理解することが可能な、エネルギー料金表示システムを提供することができる。
また、現段階のエネルギー使用料金の情報と、エネルギー累積使用量が所定量を超えた場合に適用され始める時点の次段階のエネルギー使用料金の情報とが対比表示されるため、段階的に上昇する使用料金単価の増減具合について、ユーザが容易に理解することが可能な、エネルギー料金表示システムを提供することができる。
さらに、エネルギー使用料金を算出する際に参照するエネルギー単価情報を記憶した単価情報記憶部を備えているため、電力、ガス、又は水道等の各会社のエネルギー使用料金を算出するために必要な料金情報を備えたエネルギー料金表示システムを提供できる。
【図面の簡単な説明】
【００１７】
【図１】本発明に係る電力料金表示システムの構成図である。
【図２】ホームサーバの構成を示す図である。
【図３】電力単価情報のうち、月額使用料金一覧表を示す図である。
【図４】ユーザ端末の表示画面の第１実施形態を示す図である。
【図５】ユーザ端末の表示画面の第２実施形態を示す図である。
【図６】本発明に係る電力料金表示方法の手順を示す図である。
【図７】図６の電力料金表示方法のうち、電力累積使用量計測の手順を示す図である。
【図８】図６の電力料金表示方法のうち、使用料金算出工程の手順を示す図である。
【発明を実施するための形態】
【００１８】
以下、本発明の実施形態について図を参照して説明する。
図１は、本発明に係る電力料金表示システムの構成図である。図２は、ホームサーバの構成を示す図である。図３は、電力単価情報のうち、月額使用料金一覧表を示す図である。図４は、ユーザ端末の表示画面の第１実施形態を示す図である。図５は、ユーザ端末の表示画面の第２実施形態を示す図である。図６は、本発明に係る電力料金表示方法の手順を示す図である。図７は、図６の電力料金表示方法のうち、電力累積使用量計測の手順を示す図である。図８は、図６の電力料金表示方法のうち、使用料金算出工程の手順を示す図である。
【００１９】
本実施形態は、住宅等に設置される電力、ガス、水道等のエネルギーを消費するエネルギー消費機器の運転管理情報のうち、電力消費機器の電力使用量に応じた電力使用料金の情報をユーザ端末の表示画面に表示させる制御システムの発明に関するものである。
なお、運転管理情報とは、エネルギー消費機器のエネルギー使用量の削減を図るためにユーザが閲覧し利用する情報であり、エネルギー使用量に関する画像や文字の情報である。
【００２０】
本実施形態の電力料金表示システムＳは、図１に示すように、住宅Ｈ内で使用される電力消費機器１０を制御するホームエネルギーマネジメントシステム（ＨＥＭＳ）であり、住宅Ｈ内での電力累積使用量を管理する上で、複数の電力消費機器１０の電力累積使用量を視覚化し、その視覚化された情報をユーザ端末２０に表示することによってユーザに報知する。
【００２１】
電力料金表示システムＳは、住宅Ｈ内に設置されたホームサーバ１と、住宅Ｈ内に設置された電力消費機器１０と、電力消費機器１０の電力累積使用量を計測する計測センサ１１と、ホームサーバ１に電力消費機器１０の運転状態の制御を要求するユーザ端末２０とから主に構成される。
【００２２】
ホームサーバ１は、電力料金表示システムＳの制御装置に相当し、宅内ネットワークを通じて電力消費機器１０と通信し、電力消費機器１０の運転状態を遠隔制御する。
電力消費機器１０を遠隔制御するにあたり、ユーザは、住宅Ｈ内外からユーザ端末２０を操作して、ホームサーバ１にアクセスすることができる。
なお、本実施形態では、ホームサーバ１が住宅Ｈ内に設置されているが、ホームサーバ１の代わりに住宅Ｈ外の住宅管理会社等に設置された外部サーバを利用しても良い。この場合、外部サーバが、インターネットを通じて電力消費機器１０の運転状態を管理し、ユーザ端末２０に向けて運転管理情報のデータを配信することになる。
【００２３】
ホームサーバ１は、図１に示すように、ＣＰＵ１ａと、ＲＯＭ１ｂと、ＲＡＭ１ｃと、通信用インターフェース（Ｉ／Ｆ）１ｄとを主なハードウェア構成要素として備えており、ＲＯＭ１ｂには、各種プログラムが記憶されている。そして、各種プログラムがＣＰＵ１ａによって実行されることにより、ホームサーバ１の機能が発揮されることになる。
【００２４】
各種プログラムとして、具体的には、宅内ネットワークを通じてホームサーバ１と通信可能に接続している電力消費機器１０と通信し、データの受け渡しを行うための通信プログラム、取得したデータを解析し所定の演算を行うための演算プログラム、演算結果に応じた情報をユーザ端末２０の表示画面に表示させる表示データを生成するためのデータ生成プログラム、及び表示データをユーザ端末２０に向けて配信するためのデータ配信プログラム等が記憶されている。
なお、その他のプログラムとして電力消費機器１０を遠隔制御するための機器制御プログラム、ホームサーバ１と通信可能に接続された電力消費機器１０を自動認識するための機器認識プログラム、電力消費機器１０を遠隔制御した際に運転状態が正常に切り替わるか否かを検査するための動作確認プログラム等が記憶されている。
【００２５】
ホームサーバ１は、図１に示すように、ルータ２１を介してインターネット２２に接続しており、前述の通信プログラムにより、住宅Ｈ外に存する不図示の外部サーバとの間でデータの受け渡しを行うことが可能である。
【００２６】
次に、ホームサーバ１の構成について機能面から説明すると、ホームサーバ１は、図２に示すように、使用量データ取得部２と、使用量データ蓄積部３と、使用料金算出部４と、単価情報記憶部５と、表示データ生成部６と、データ送信部７とを主な構成要素として備える。
また、その他の機能部として、機器ＩＤデータ取得部８ａと、位置ＩＤデータ取得部８ｂと、動作確認済データ取得部８ｃと、機器制御部８ｄと、ＩＤデータ記憶部８ｅとを構成要素として備える。
【００２７】
使用量データ取得部２は、毎月初日から起算して現時点までに電力消費機器１０が使用した電力累積使用量を示す使用量データを取得するものであり、主にＣＰＵ１ａ、ＲＯＭ１ｂ、ＲＡＭ１ｃ、通信用Ｉ／Ｆ１ｄ及び前述の通信プログラムにより構成されている。
電力累積使用量の計測は、計測センサ１１によって常時実行され、計測された使用量データは、１日毎にホームサーバ１に向けて送信される。
なお、使用量データは、毎月初日から現時点までに使用した電力累積使用量を示すが、これに限定されることなく、毎月所定の日から起算されても良い。
また、ホームサーバ１への使用量データの送信は１日毎に実行されるが、これに限定されることなく所定の頻度で実行されても良い。例えば、１時間毎等の頻度で実行されても良い。１日毎、１時間毎等の頻度で実行されるケースに限られず、電力累積使用量が一定値以上となったときに限定して実行されても良い。
さらに、使用量データの送信は、例えば、使用量データを各計測センサ１１側で一時的に蓄積しておき、ホームサーバ１が各計測センサ１１に対してデータ送信を要求した時点で送信されることとしても良い。
【００２８】
使用量データ蓄積部３は、使用量データ取得部２によって取得された使用量データを蓄積するものであり、主にＣＰＵ１ａ、ＲＯＭ１ｂ、ＲＡＭ１ｃにより構成されている。
使用量データ蓄積部３に蓄積された使用量データは、住宅Ｈに設置された電力消費機器１０全体の全体使用量データと、各電力消費機器１０個別の個別使用量データとに分けられて、データベースとして管理される。
使用量データ蓄積部３には、１日毎の使用量データが蓄積されているほか、１ヶ月毎の使用量データ等も蓄積されている。なお、使用量データ蓄積部３は、少なくとも過去３年分の使用量データを蓄積している。
【００２９】
使用料金算出部４は、使用量データ蓄積部３にアクセスして、蓄積された使用量データに基づいて、電力累積使用量に応じた電力使用料金を１日毎に算出するものであり、主にＣＰＵ１ａ、ＲＯＭ１ｂ、ＲＡＭ１ｃ及び前述の演算プログラムにより構成されている。
使用料金算出部４は、全体使用量データに基づいて電力使用料金を算出するほか、個別使用量データに基づいて個々の電力消費機器１０の電力累積使用量に応じた電力使用料金を算出することも可能である。
なお、電力使用料金の算出は１日毎に実行されるが、これに限定されることなく所定の頻度で実行されても良い。
使用料金算出部４は、電力使用料金を算出するにあたり、単価情報記憶部５が記憶する電力単価情報１２を参照する。
【００３０】
単価情報記憶部５は、電力使用料金の料金単価を示す電力単価情報１２を記憶するものであり、主にＲＯＭ１ｂ、ＲＡＭ１ｃにより構成されている。
単価情報記憶部５は、電力単価情報１２として、各電力会社の月額使用料金３０を算出するために必要な固定料金３１、最低月額料金３２、電力累積使用量に応じて変動する変動料金３３等に関する電力料金情報を記憶している。
また、単価情報記憶部５は、電力単価情報１２として、電力使用料金に応じた情報を記憶している。
ここで、電力使用料金に応じた情報とは、月額使用料金３０の料金単価３４について、電力累積使用量が所定量を超えたときに、第１段階料金単価３４ａから繰り上がって第２段階料金単価３４ｂが適用され始める時点の電力使用料金と、この時点の電力使用料金に応じた電力累積使用量との双方に対応する画像情報又は文字情報からなる。
電力使用料金に応じた情報の詳細については後述する。
【００３１】
表示データ生成部６は、使用料金算出部４が算出した料金算出結果に応じた情報を、ユーザ端末２０の表示画面に表示させるための表示データを生成するものであり、主にＣＰＵ１ａ、ＲＯＭ１ｂ、ＲＡＭ１ｃ及び前述のデータ生成プログラムにより構成されている。
ここで、料金算出結果に応じた情報とは、電力累積使用量と、電力累積使用量に応じた電力使用料金との双方に対応する画像情報又は文字情報からなる。
また、表示データ生成部６は、表示データとして、前述した電力使用料金に応じた情報をユーザ端末２０の表示画面に表示させるためのデータを生成することができる。
【００３２】
データ送信部７は、表示データ生成部６が生成した表示データを宅内ネットワーク又はインターネット２２を通じてユーザ端末２０に送信するものである。
また、データ送信部７は、使用料金算出部４が算出した料金算出結果に応じた情報を表示データ生成部６に送信すると共に、単価情報記憶部５が記憶する電力使用料金に応じた情報を表示データ生成部６に送信することができる。
【００３３】
そのほか、機器ＩＤデータ取得部８ａは、電力消費機器１０を特定するための機器ＩＤデータを取得するものであり、位置ＩＤデータ取得部８ｂは、電力消費機器１０の設定位置を特定するための位置ＩＤデータを取得するものである。
動作確認済データ取得部８ｃは、動作確認が完了した電力消費機器１０について、動作確認が完了したことを示すデータを取得するものであり、機器制御部８ｄは、電力消費機器１０の運転状態を遠隔制御するものである。
ＩＤデータ記憶部８ｅは、これら機器ＩＤデータ、位置ＩＤデータ及び、動作確認済データを記憶するものである。
【００３４】
本実施形態では、使用量データ取得部２、表示データ生成部６及びデータ送信部７が、ホームサーバ１内に設けられていることにより、住宅Ｈ内の各電力消費機器１０の電力累積使用量の情報をユーザ端末２０の表示画面に表示させることが可能である。
また、使用料金算出部４、単価情報記憶部５が、ホームサーバ１内に設けられていることにより、電力累積使用量に応じた電力使用料金の情報をユーザ端末２０の表示画面に表示させることが可能である。
【００３５】
さらに、使用量データ蓄積部３が、ホームサーバ１内に設けられていることにより、過去の電力使用料金の情報をユーザ端末２０の表示画面に表示させることが可能である。
具体的には、使用料金算出部４が、使用量データ蓄積部３が蓄積する過去の使用量データから過去の電力使用料金を算出し、表示データ生成部６が、過去の電力使用料金に応じた情報を表示するための過去の表示データを生成する。
他の実施形態として、表示データを蓄積する不図示の表示データ蓄積部がホームサーバ１内に設けられ、データ送信部７が、過去の表示データをユーザ端末２０に送信し、過去の電力使用料金の情報を表示画面に表示させるようにしても良い。
【００３６】
なお、表示データ生成部６は、表示データを生成する際に、機器ＩＤデータ、位置ＩＤデータを読み出し、機器ＩＤデータにより特定される電力消費機器１０と位置ＩＤデータにより特定される設定位置との対応関係に基づいて、表示データを生成することができる。
つまり、表示データは、各計測センサ１１が個別に計測した電力消費機器１０の電力累積使用量を、電力消費機器１０が配置されている位置に対応付けてユーザ端末２０に表示させるためのデータとすることもできる。
【００３７】
電力消費機器１０は、住宅Ｈ内に複数設置されており、図１に示すように、エアコン１０ａと、照明１０ｂと、給湯器１０ｃと、接点装置１０ｄと、多機能トイレ１０ｅとから主に構成されている。図１に示した例は、住宅Ｈ内で使用されている電力消費機器１０の一例に過ぎず、当然ながら、図１に示された電力消費機器１０の台数以上の電力消費機器１０が住宅Ｈ内で使用されていても良く、また、図１に図示されていない種類の電力消費機器１０が住宅Ｈ内で使用されていても良い。
【００３８】
電力消費機器１０は、住宅Ｈ内の設定位置に配置され、設定位置にてホームサーバ１と通信し、ホームサーバ１から出力された制御信号を受信する。
電力消費機器１０は、ホームサーバ１に対して通信可能に接続されると、ホームサーバ１側で自動認識されるようになっている。電力消費機器１０を自動認識して登録するための技術としては、公知の技術が利用可能である。
【００３９】
計測センサ１１は、住宅Ｈ内部で使用される電力消費機器１０について、毎月初日から起算して現時点までに使用した電力累積使用量を計測するものである。
計測センサ１１は、図１に示すように、通信モジュールを内蔵した計測タップ１１ａと、データロガー１１ｂとから主に構成されている。
計測タップ１１ａは、電力消費機器１０と接続され、電力累積使用量を計測するものである。データロガー１１ｂは、電力累積使用量を示す使用量データを一時的に蓄積し、１日毎にホームサーバ１に使用量データを伝送する。
【００４０】
つまり、計測センサ１１は、ホームサーバ１からの計測実行指令を受けて電力累積使用量の計測を実行し、計測結果としての使用量データをホームサーバ１に伝送する。なお、計測センサ１１は、電力消費機器１０の運転状況に拘わらず、常時、電力累積使用量の計測を実行する。
【００４１】
ユーザ端末２０は、住宅Ｈ内外でユーザが利用する携帯通信端末であって、宅内ネットワーク又はインターネット２２を介してホームサーバ１と通信可能に接続されており、ユーザが携帯通信端末を操作してホームサーバ１にアクセスできる。
なお、住宅Ｈ内に設置された宅内ＰＣをユーザ端末２０としても良い。この場合、電力消費機器１０を遠隔操作することが可能な範囲は住宅Ｈ内に限定される。
【００４２】
ユーザ端末２０は、データ表示部に相当する表示画面を備え、ホームサーバ１からの表示データが示す料金算出結果に応じた情報を表示画面に表示する。
すなわち、ユーザ端末２０は、ホームサーバ１から表示データを受信すると、表示データに基づいて、電力消費機器１０の電力累積使用量から算出された料金算出結果に応じた情報を表示画面に表示することが可能である。
【００４３】
詳しく説明すると、ユーザ端末２０は、宅内ネットワーク又はインターネット２２を通じてホームサーバ１から表示データを受信すると、表示データが示す料金算出結果に応じた情報として、表示画面に図４に示す電力使用料金確認画面４０を描写することができる。
【００４４】
次に、月額使用料金３０について図３の月額使用料金一覧表に基づいて説明する。
月額使用料金３０は、当月にユーザが使用した電力使用量に応じて各電力会社に支払う使用料金であって、固定料金３１と、当月の電力累積使用量に応じて変動する変動料金３３とから主に構成されている。
固定料金３１は、各電力会社の基本料金であって、ユーザの契約アンペアによって設定料金が異なる。契約アンペアとは、一度に使用できる最大電力量を示す。
契約アンペアが大きいほど、基本料金も大きくなる。
【００４５】
変動料金３３は、各電力会社の電力使用量に応じて課金される料金であって、電力使用量が大きくなるほど料金単価３４も大きくなる。
料金単価３４は、円／ｋＷｈ単位で計算される。すなわち、電力使用量１時間分で料金計算されることになる。
また、変動料金３３には、図３に示すように電力使用量に応じて第１段階から第３段階までの料金単価３４が設定されている。
【００４６】
料金単価３４は、第１段階料金単価３４ａと、第２段階料金単価３４ｂと、第３段階料金単価３４ｃとから構成されており、電力累積使用量が所定量を超えた場合に次段階の料金単価３４が適用されるようになっている。
第１段階料金単価３４ａと第２段階料金単価３４ｂの関係、又は第２段階料金単価３４ｂと第３段階料金単価３４ｃの関係は、それぞれ特許請求の範囲の第１段階単価情報と第２段階単価情報の関係に相当する。
次段階の料金単価３４が適用されるための電力累積使用量の閾値は、段階電力値３５として設定されている。
段階電力値３５は、第１段階電力値３５ａと、第２段階電力値３５ｂとから構成されている。
図３に基づいて説明すると、料金単価３４は、電力累積使用量が１００ｋｗｈ以下である場合には第１段階料金単価３４ａを適用し、電力累積使用量が１００ｋｗｈを超える場合には第２段階料金単価３４ｂを適用することになる。
このとき第１段階電力値３５ａは１００ｋｗｈとして設定されている。
【００４７】
例えば、契約アンペア３０Ａのユーザが、月初めから起算して現時点までに２８０ｋｗｈの電力を使用した場合に、図３に示す月額使用料金一覧表に基づいて、現時点のＡ電力会社の月額使用料金３０を計算してみると次のようになる。
月額使用料金３０のうち、固定料金３１は、契約アンペア３０Ａの基本料金に基づき、小計１０００円となる。
月額使用料金３０のうち、変動料金３３は、第１段階料金と、第２段階料金と、第３段階料金とに分けて計算される。
【００４８】
まず、第１段階電力値３５ａは１００ｋｗｈであるため、電力累積使用量２８０ｋｗｈのうち、１００ｋｗｈ以下の電力使用量が、第１段階料金単価３４ａである２０円／ｋｗｈを適用させて計算される。
次に、第２段階電力値３５ｂは３００ｋｗｈであるため、電力累積使用量２８０ｋｗｈのうち、電力使用量の範囲が１００ｋｗｈより大きく２８０ｋｗｈ以下に相当する電力使用量が、第２段階料金単価３４ｂである２５円／ｋｗｈを適用させて計算される。
なお、本実施例の場合、電力累積使用量が２８０ｋｗｈであるため、第３段階料金単価３４ｃである３０円／ｋｗｈは適用されない。
【００４９】
すなわち、本実施例の場合、第１段階料金は、１００ｋｗｈ以下の電力使用量に第１段階料金単価３４ａである２０円／ｋｗｈを乗じて、２０００円となる。
第２段階料金は、１００ｋｗｈより大きく２８０ｋｗｈ以下の電力使用量となる１８０ｋｗｈに第２段階料金単価３４ｂである２５円／ｋｗｈを乗じて、４５００円となる。
従って、変動料金３３は小計６５００円となる。
なお、変動料金３３が最低月額料金３２を下まわる場合には、変動料金３３の代わりに最低月額料金３２が適用されることになる。
本実施例では、最低月額料金３２は２５０円であるため、最低月額料金３２は適用されないこととなる。
よって、月額使用料金３０は、固定料金３１の小計１０００円と、変動料金３３の小計６５００円とを合わせて合計７５００円に別途消費税が加えた料金となる。
【００５０】
本実施例では、従量電力料金の算出方法について説明したが、そのほか、オール電化料金を算出する方法について同様に適用させることができる。
オール電化料金を算出する場合には、さらに時間帯別に電力料金を算出する必要がある。
オール電化料金は、時間帯別に料金単価３４が異なっており、オール電化料金の料金単価３４は、デイタイム料金単価と、リビングタイム料金単価と、ナイトタイム料金単価とに分かれて構成され、それぞれ料金単価が異なってくる。
デイタイムとは、例えば午前１０時から午後５時までを示し、リビングタイムとは午前７時から午前９時まで及び午後５時から午後１１時までを示し、ナイトタイムとは午前０時から午前７時まで及び午後１１時から午後１２時までを示す。
【００５１】
また、平日と休日の場合で料金単価３４が異なり、さらに年間の所定時期によって料金単価３４が異なる料金プランも設定されている。
そのほか、オール電化割引料金やマイコン割引料金を減じて月額使用料金３０が算出されることになる。
なお、マイコン割引料金とは、電力消費機器１０として通電制御型の蓄熱式電気暖房機等を使用するユーザに対して電力料金が割引される割引料金のことである。
【００５２】
上記の月額使用料金３０の情報は、電力単価情報１２として、単価情報記憶部５に記憶されている。
単価情報記憶部５に記憶された電力単価情報１２は、各電力会社の電力単価に関する情報が更新されたとき、ホームサーバ１が不図示の外部サーバからインターネット２２を介して更新情報を取得することにより最新情報に更新される。
【００５３】
次に、ユーザ端末２０の表示画面に表示される電力使用料金確認画面４０について、図４及び図５に基づいて説明する。
電力使用料金確認画面４０は、電力累積使用量と、電力累積使用量に応じた電力使用料金の対応関係を示す折れ線グラフ４１を表示した画面から構成されている。
具体的には、折れ線グラフ４１は、単価情報記憶部５が記憶する電力単価情報１２のうち、ユーザが電力会社と契約する電力使用料金プランの契約情報を参照して、予め定められた電力累積使用量の数値データと、電力累積使用量に応じた電力使用料金の数値データに基づいてプロットされた点の集合から隣り合う点同士を結んで描かれた折れ線グラフからなり、電力累積使用量の経過に従って変化する電力使用料金の様子を表したものである。
【００５４】
折れ線グラフ４１のＸ軸には、毎月初日から起算した電力累積使用量を示す電力量が設定されており、電力量の目盛値として、第１段階電力値３５ａと、第２段階電力値３５ｂとが表記されている。電力量の単位にはｋｗｈが設定されている。
折れ線グラフ４１のＹ軸には、電力使用料金を示す料金が設定されている。料金の単位には円が設定されている。
【００５５】
第１段階電力値３５ａと、第２段階電力値３５ｂとは、ユーザが電力会社と契約する電力使用料金プランの契約情報に基づいて予め設定される値であって、次段階の料金単価３４が適用されるための電力累積使用量の閾値である。
すなわち、折れ線グラフ４１のＸ軸方向で見たとき、電力累積使用量が第１段階電力値３５ａに達すると、第１段階電力値３５ａを超えた電力累積使用量分について、第１段階料金単価３４ａから変更されて第２段階料金単価３４ｂが適用され始める。
【００５６】
折れ線グラフ４１は、Ｘ軸方向において、第１段階料金単価３４ａが適用される領域と、第２段階料金単価３４ｂが適用される領域と、第３段階料金単価３４ｃが適用される領域とに分けられて表示されている。
【００５７】
第１段階料金単価３４ａが適用される領域から、第３段階料金単価３４ｃが適用される領域まで段階的に繰り上がるごとに、料金単価３４が上がるように設定されている。そのため、電力累積使用量に対する電力使用料金の傾きは、第１段階電力値３５ａ、第２段階電力値３５ｂを境にして順に大きくなるように表示されることになる。
【００５８】
電力使用料金確認画面４０は、ユーザが現時点の電力累積使用量と、現時点の電力使用料金とを把握するために、折れ線グラフ４１に現時点の電力使用量４２と、現時点の電力使用料金４３との位置を表示するように構成されている。
図５に示された本実施例の電力使用料金確認画面４０を見ると、現時点の電力使用量４２は、第２段階料金単価３４ｂ内に位置していることが分かる。
このようにして、現時点の電力使用量４２と段階電力値３５とを対比表示させて、現時点の電力使用量４２が、どの段階の料金単価３４が適用される領域に位置するか把握できる。
【００５９】
また、折れ線グラフ４１は、Ｙ軸方向において、電力使用料金のうち、固定料金３１の割合を特定する領域と、変動料金３３の割合を特定する領域とに分けられて表示されている。
固定料金３１は、ユーザが電力会社と契約する電力使用料金プランの契約情報に基づいて予め設定される料金値となるために、電力累積使用量に関係なく、電力使用料金のうち一定の割合を示す料金値として表示される。
【００６０】
電力使用料金確認画面４０は、１日毎に現時点の電力使用量４２と、現時点の電力使用料金４３との位置が更新されることになる。
なお、電力使用料金確認画面４０に表示される各情報については、電力使用料金確認画面４０中のいずれの領域に配置されるかが予め定められており、ユーザ端末２０は、表示データを読み込んで各情報をデータ表示部に相当する表示画面に表示する際に、各情報を対応する領域に配置することとしている。
【００６１】
本実施形態の電力使用料金確認画面４０では、図４に示すように、現時点の電力使用量４２が、料金単価３４のうち、第１段階料金単価３４ａ、第２段階料金単価３４ｂ、第３段階料金単価３４ｃのいずれが適用される領域に位置するか確認することができる。
そのため、ユーザが現在の電力累積使用量からさらにどの程度電力を使用すれば、月額使用料金３０のうち、変動料金３３の料金単価３４が段階的に上昇するのか容易に把握することができる。
【００６２】
他の実施形態として、電力使用料金確認画面５０では、図６に示すように、現時点の電力使用料金４３の値を示す文字情報５１と、現時点の電力使用量４２の値を示す文字情報５２と、料金単価３４の値を示す文字情報５３と、段階電力値３５から現時点の電力使用量４２の値を減じた値を示す文字情報５４とを表示するように構成されている。
そのため、ユーザが現在の電力累積使用量からさらにどの程度電力を使用すれば、月額使用料金３０のうち、変動料金３３の料金単価３４が段階的に上昇するのか文字情報から把握することができ、一層分かり易くなる。
【００６３】
なお、本発明に係る電力料金表示システムＳにおいて、ユーザ端末２０の表示画面に表示される電力使用料金確認画面４０、５０は、これらに限定されることなく、種々変更することができるのは勿論である。
現時点の電力使用量４２と、現時点の電力使用料金４３を表示画面に表示させ、かつ段階電力値３５を同表示画面に対比表示させる確認画面を備えていれば良い。
例えば、本実施形態の電力使用料金確認画面４０、５０は、折れ線グラフ４１を用いて表示されているが、棒グラフや円グラフのようなグラフ等を用いて表示させても良い。
【００６４】
そのほか、電力使用料金確認画面に、現時点の電力使用量４２と、過去の電力使用量の情報を対比表示させ、または現時点の電力使用料金４３と、過去の電力使用料金の情報を対比表示させることができる。
このとき、過去の電力使用量の情報は、現時点の電力使用量４２の情報と共に、折れ線グラフとして同時表示させて対比させても良いし、別画面に切り替えて表示させても良い。
このようにすれば、ユーザが、先月または昨年の電力累積使用量や電力使用料金を容易に確認することができ、電力累積使用量や電力使用料金を節約する意識が一層高まる。
【００６５】
そのほか、電力使用料金確認画面に、各電力消費機器１０個別の電力累積使用量や電力使用料金の情報を表示させることができる。このようにすれば、ユーザが、どの電力消費機器１０に対して電力を多く使用しているのか、または電力使用料金を多く支払っているのか容易に確認することができる。
このとき、各電力消費機器１０個別の電力累積使用量や電力使用料金の情報は、別画面に切り替えて表示させることが望ましい。
また、各電力消費機器１０個別の過去の電力累積使用量や電力使用料金の情報を表示させることができる。このようにすれば、ユーザが、どの電力消費機器１０に対してどの時期に電力を多く使用していたのか、または電力使用料金を多く支払っていたのか容易に確認することができる。
【００６６】
次に、電力料金表示システムＳによって実現される電力料金表示方法について、図６に基づいて説明する。図６は、本発明に係る電力料金表示方法の手順を示す図である。
【００６７】
本実施形態に係る電力料金表示方法は、図６に示すように、住宅Ｈにおいて計測センサ１１が電力消費機器１０の電力累積使用量を計測すること（ＳＴ０１）から始まり、その後、計測センサ１１が使用量データをホームサーバ１に向けて送信する（ＳＴ０２）。
ホームサーバ１側では、使用量データ取得部２による使用量データ取得工程が実行される（ＳＴ０３）。使用量データ取得工程において取得された使用量データは、使用量データ蓄積部３に蓄積される。
【００６８】
次に、使用料金算出部４によって、単価情報記憶部５が記憶する電力単価情報１２が参照されて（ＳＴ０４）、使用量データから電力累積使用量に応じた電力使用料金を算出する使用料金算出工程が実行される（ＳＴ０５）。
データ送信部７によって、使用料金算出工程にて算出された料金算出結果に応じた情報が、表示データ生成部６に送信されると共に、単価情報記憶部５が記憶する電力単価情報１２のうち、電力使用料金に応じた情報が表示データ生成部６に送信される（ＳＴ０６）。
ここで、料金算出結果に応じた情報とは、現時点の電力使用量４２と、現時点の電力使用料金４３との双方に対応する画像情報又は文字情報からなる。
また、電力使用料金に応じた情報とは、次段階の料金単価３４が適用され始める時点の電力使用料金と、この電力使用料金に応じた電力累積使用量との双方に対応する画像情報又は文字情報からなる。
【００６９】
そして、ユーザ端末２０の表示画面に、送信された料金算出結果に応じた情報と電力使用料金に応じた情報とを対比表示させるために、表示データ生成部６によって表示データを生成する表示データ生成工程が実行される（ＳＴ０７）。
この表示データは、料金算出結果に応じた情報と電力使用料金に応じた情報とを組み合わせて構築させたデータとなる。
その後、データ送信部７によって表示データがユーザ端末２０に送信され（ＳＴ０８）、ユーザ端末２０の表示画面に、送信された料金算出結果に応じた情報と電力使用料金に応じた情報とが対比表示される（ＳＴ０９）。
上記の一連の工程により、ユーザは、ユーザ端末２０の表示画面にて電力消費機器１０の電力累積使用量に応じた電力使用料金の情報を閲覧することが可能になる。
【００７０】
次に、電力料金表示システムＳによって実現される電力料金表示方法の工程のうち、電力累積使用量計測（ＳＴ０１）について、図７に基づいて詳しく説明する。
電力累積使用量計測（ＳＴ０１）は、図７に示すように、計測センサ１１によって、毎月初日から起算して現時点までに電力消費機器１０が使用した電力累積使用量を計測するステップである。
なお、本実施形態の電力料金表示方法では、電力累積使用量を計測する前に、ユーザが電力会社と契約する電力使用料金プランの契約情報の設定確認が実行される。この契約情報の設定確認は、初回契約時または契約情報の変更時のみ実行される。
【００７１】
電力累積使用量を計測するにあたり、ホームサーバ１は、最初に本日が当月の初日に該当するか否か判定する（ＳＴ１０）。Ｙｅｓの場合は次のステップ（ＳＴ１１）に進み、Ｎｏの場合はさらに次のステップ（ＳＴ１２）に進む。
ホームサーバ１が、本日は当月の初日に該当すると判定した場合、計測センサ１１に計測実行指令を与えるに際して、計測センサ１１が前日までに計測した電力累積使用量の値を０にリセットさせる（ＳＴ１１）。次のステップ（ＳＴ１２）に進む。
このように電力累積使用量の値が０にリセットされることで、計測センサ１１が毎月初日から起算して現時点までの電力累積使用量を示す使用量データを送信することができる。
【００７２】
次に、計測センサ１１は、当日の電力累積使用量を算出し（ＳＴ１２）、その後、前日までの電力累積使用量と当日の電力累積使用量とを加算して、現時点の電力累積使用量を算出する（ＳＴ１３）。
最後に、計測センサ１１は、現時点の電力累積使用量を示す使用量データを作成する。
電力累積使用量計測（ＳＴ０１）は、ＳＴ１０からＳＴ１３を経て、次工程の使用量データ送信（ＳＴ０２）へ進むこととなる。
【００７３】
次に、電力料金表示方法の工程のうち、使用料金算出工程（ＳＴ０５）について、図８に基づいて詳しく説明する。
使用料金算出工程（ＳＴ０５）は、図８に示すように、使用料金算出部４が、使用量データに基づいて電力使用料金を算出する毎日の料金算出フローを実行する工程である。
【００７４】
電力使用料金を算出するにあたり、使用料金算出部４は、最初に当日の電力累積使用量を示す使用量データに基づいて、当日の電力使用料金を算出し（ＳＴ１４）、その後、前日までの電力使用料金と当日の電力使用料金とを加算して、現時点の電力使用料金を算出する（ＳＴ１５）。
次に、使用料金算出部４は、現時点の電力使用料金のうち、変動料金３３が、予め定められた最低月額料金３２よりも上回っているか否か判定する（ＳＴ１６）。Ｙｅｓの場合はさらにその次のステップ（ＳＴ１８）に進み、Ｎｏの場合は次のステップ（ＳＴ１７）に進む。
【００７５】
使用料金算出部４が、変動料金３３が最低月額料金３２を上回っていないと判定した場合、電力使用料金を算出するに際して、変動料金３３の代わりに最低月額料金３を適用させる（ＳＴ１７）。次のステップ（ＳＴ１８）に進む。
最後に、使用料金算出部４が算出した料金算出結果に応じた情報は、ホームサーバ１の不図示の情報蓄積部に蓄積される（ＳＴ１８）。
使用料金算出工程（ＳＴ０５）は、ＳＴ１４からＳＴ１８を経て、次工程の料金算出結果に応じた情報、電力使用料金に応じた情報の送信（ＳＴ０６）へ進むこととなる。
【００７６】
本実施形態の電力料金表示システムＳは、建物又は建物の部屋に設置された電力消費機器１０が使用した電力累積使用量と、電力累積使用量に応じた電力使用料金とをユーザ端末２０の表示画面に表示することができる。
そのため、建物として個人住宅、集合住宅、オフィスビル又は工場等に設置された電力消費機器１０のほか、建物の部屋として集合住宅の各世帯が居住する各部屋、オフィスビルの各企業が入居する各部屋等に設置された電力消費機器１０に対して電力累積使用量及び電力使用料金をユーザが把握することができる。
【００７７】
本実施形態では、主として本発明に係る電力料金表示システム及び電力料金表示方法に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、電力料金情報を表示させる電力使用料金確認画面４０、５０のデザイン、すなわち各情報の配置レイアウトについて、上記の実施形態にて説明したものは、あくまで一例に過ぎず、本発明を限定するものではない。
【符号の説明】
【００７８】
Ｓ  電力料金表示システム
Ｈ  住宅
１  ホームサーバ
１ａ  ＣＰＵ
１ｂ  ＲＯＭ
１ｃ  ＲＡＭ
１ｄ  通信用Ｉ／Ｆ
２  使用量データ取得部
３  使用量データ蓄積部
４  使用料金算出部
５  単価情報記憶部
６  表示データ生成部
７  データ送信部
８ａ  機器ＩＤデータ取得部
８ｂ  位置ＩＤデータ取得部
８ｃ  動作確認済データ取得部
８ｄ  機器制御部
８ｅ  ＩＤデータ記憶部
１０  電力消費機器
１０ａ  エアコン
１０ｂ  照明
１０ｃ  給湯器
１０ｄ  接点装置
１０ｅ  多機能トイレ
１１  計測センサ
１１ａ  計測タップ
１１ｂ  データロガー
１２  電力単価情報
２０  ユーザ端末
２１  ルータ
２２  インターネット
３０  月額使用料金
３１  固定料金
３２  最低月額料金
３３  変動料金
３４  料金単価
３４ａ  第１段階料金単価
３４ｂ  第２段階料金単価
３４ｃ  第３段階料金単価
３５  段階電力値
３５ａ  第１段階電力値
３５ｂ  第２段階電力値
４０、５０  電力使用料金確認画面
４１  折れ線グラフ
４２  現時点の電力使用量
４３  現時点の電力使用料金
５１、５２、５３、５４  文字情報
【図１】
2014071600.tif 000003
【図２】
2014071600.tif 000004
【図３】
2014071600.tif 000005
【図４】
2014071600.tif 000006
【図５】
2014071600.tif 000007
【図６】
2014071600.tif 000008
【図７】
2014071600.tif 000009
【図８】
2014071600.tif 000010